(57)【要約】【課題】受信機の消費電力を低減させることができる情報配信システムおよび情報配信方法を提供する。【解決手段】デジタル放送におけるＡＣ信号と配信情報とを送出する送出手段１１を備えた送出装置１０と、送信装置１０と通信可能な受信機２０とを含み、受信機２０は、ＡＣ信号を受信するＡＣ信号受信手段２１と、配信情報を受信する配信情報受信手段２２と、配信情報受信手段２２の起動および停止を制御する起動手段２３とを備え、送出手段１１は、ＡＣ信号に配信情報の送信時刻情報を格納して送出し、ＡＣ受信手段２１は、受信したＡＣ信号から送信時刻情報を取得し、起動手段２３は、送信時刻情報に応じて、配信情報受信手段２２を起動する。【選択図】図６
2013115645.tif 000002
【特許請求の範囲】
【請求項１】
デジタル放送におけるＡＣ信号と配信情報とを送出する送出手段を備えた送出装置と、前記送信装置と通信可能な受信機とを含み、
前記受信機は、
ＡＣ信号を受信するＡＣ信号受信手段と、
配信情報を受信する配信情報受信手段と、
前記配信情報受信手段の起動および停止を制御する起動手段と備え、
前記送出手段は、ＡＣ信号に配信情報の送信時刻情報を格納して送出し、
前記ＡＣ信号受信手段は、受信した前記ＡＣ信号から前記送信時刻情報を取得し、
前記起動手段は、前記送信時刻情報に応じて、前記配信情報受信手段を起動する
ことを特徴とする情報配信システム。
【請求項２】
起動手段は、配信情報受信手段の受信動作が完了したら、前記配信情報受信手段を停止する
請求項１に記載の情報配信システム。
【請求項３】
受信機は、判定手段を備え、
送出手段は、コンテンツタイプ情報を含むＡＣ信号を送出し、
ＡＣ信号受信手段は、受信した前記ＡＣ信号から前記コンテンツタイプ情報を取得し、
前記判定手段は、ユーザ情報を記憶し、前記コンテンツタイプ情報と前記ユーザ情報とをもとに、配信情報を受信するか否かを判定し、
前記起動手段は、前記判定手段の判定結果にもとづいて、前記配信情報受信手段を起動する
請求項１または請求項２に記載の情報配信システム。
【請求項４】
送出手段は、対象端末情報を含むＡＣ信号を送出し、
ＡＣ信号受信手段は、受信した前記ＡＣ信号から前記対象端末情報を取得し、
判定手段は、端末情報を記憶し、前記対象端末情報と前記端末情報とをもとに、配信情報を受信するか否かを判定する
請求項３に記載の情報配信システム。
【請求項５】
配信情報が、番組情報を含む
請求項１から請求項４のうちのいずれか１項に記載の情報配信システム。
【請求項６】
配信情報が、地震情報および津波情報を含む
請求項１から請求項４のうちのいずれか１項に記載の情報配信システム。
【請求項７】
デジタル放送におけるＡＣ信号と配信情報とを送出する送出装置が、
ＡＣ信号に配信情報の送信時刻情報を格納して送出し、
受信機が、
前記ＡＣ信号を受信し、
受信した前記ＡＣ信号から前記送信時刻情報を取得し、
前記送信時刻情報に応じて、配信情報を受信するための電力供給を開始する
ことを特徴とする情報配信方法。
【請求項８】
受信機が、
配信情報の受信が完了したときに、前記配信情報を受信するための電力供給を停止する
請求項７に記載の情報配信方法。
【請求項９】
送信装置が、
コンテンツタイプ情報を含むＡＣ信号を送出し
受信機が、
前記ＡＣ信号を受信し、
受信した前記ＡＣ信号から前記コンテンツタイプ情報を取得し、
前記コンテンツタイプ情報と、予め記憶したユーザ情報とをもとに、配信情報を受信するか否かを判定し、
前記判定の結果にもとづいて、前記配信情報を受信するための電力供給を停止する
請求項７または請求項８に記載の情報配信方法。
【請求項１０】
送信装置が、
端末情報を含むＡＣ信号を送出し
受信機が、
前記ＡＣ信号を受信し、
受信した前記ＡＣ信号から前記端末情報を取得し、
前記端末情報と、予め記憶した対象端末情報とをもとに、配信情報を受信するか否かを判定し、
前記判定の結果にもとづいて、前記配信情報を受信するための電力供給を停止する
請求項７から請求項９のうちのいずれか１項に記載の情報配信方法。
【発明の詳細な説明】
【技術分野】
【０００１】
本発明は、モバイルマルチメディア放送に適用可能な情報配信システムおよび情報配信方法に関する。
【背景技術】
【０００２】
アナログ放送では、Ｇガイド（登録商標）やＡＤＡＭＳ−ＥＰＧ（ＴＶ−Ａｓａｈｉ Ｄａｔａ  ａｎｄ  Ｍｕｌｔｉｍｅｄｉａ  Ｓｅｒｖｉｃｅ−ＥＰＧ）の方式で一日数回、時刻を決めて番組データが送信されていた。
【０００３】
デジタル放送には、放送規格としてＩＳＤＢ−Ｔ方式、ＩＳＤＢ−Ｓ方式およびＩＳＤＢ−Ｔｍｍ方式がある。
【０００４】
ＩＳＤＢ−Ｔ方式およびＩＳＤＢ−Ｓ方式においては、常時番組データを送信できるため、一般的にＧガイドやＡＤＡＭＳ−ＥＰＧといった代行サービスよりも正確かつ詳細で、番組データをリアルタイムに送信可能である。そのため、スポーツ中継の延長などの番組放送時間の延長やずれにも正しい追随が可能になる。
【０００５】
ＩＳＤＢ−Ｔｍｍ方式においては、Ａ階層とＢ階層の２階層で番組データ（コンテンツのメタデータ）が送出される。Ａ階層を使用して送出する番組送出（以下、番組送出Ａという）は、Ｂ階層を使用して送出する番組送出（以下、番組送出Ｂという）と比べて、送出ビットレートが低い。そのため、番組送出Ａは、主に、現在時刻と番組放送時刻の差が小さい、優先度の高いデータの送出に使用される。番組送出Ｂは、主に、現在時刻と番組放送時刻の差が大きい優先度が低いデータ送出に使用される。番組送出Ａには番組送出Ｂの番組送出情報が含まれているため、受信機は、番組送出Ａを受信することによって、番組送出Ｂの送出時刻を取得することができる。
【０００６】
図７は、ＩＳＤＢ−Ｔｍｍ方式によるモバイルマルチメディア放送の番組表配信システムの動作を示す説明図である。
【０００７】
図７に示すシステムは、送出システム６００と、受信機６３０とを含む。
【０００８】
送出システム６００は、番組送出Ａ送出手段６０１と、番組送出Ｂ送出手段６０２とを含む。受信機６３０は、番組送出Ａ受信手段６３１と、番組送出Ｂ受信手段６３２とを含む。
【０００９】
番組送出Ａ送出手段６０１は、直近の数番組の情報（以下、数番組情報という）及び番組送出Ｂの番組情報送出時刻を示す情報（以下、番組情報送出時刻情報という）を、番組送出Ａにもとづくデータである番組送出Ａ６１１に格納する。そして、番組送出Ａ６１１を含む放送トランスポートストリーム（ＴＳ）６１０を送出する。
【００１０】
番組送出Ｂ送出手段６０２は、番組送出Ｂにもとづくデータである番組送出Ｂ６２１に残り全体の番組情報を格納する。そして、番組送出Ｂの番組情報送出時刻情報に合わせて、番組送出Ｂ６２１を含む放送ＴＳ６２０を送出する。
【００１１】
番組送出Ａ受信手段６３１は、番組送出Ａ６１１を受信し、直近の数番組情報および番組送出Ｂの番組情報送出時刻情報を取得する。
【００１２】
番組送出Ｂ受信手段６３２は、番組送出Ｂの番組情報送出時刻情報に合わせて、番組送出Ｂ６２１を受信し、残り全体の番組情報を取得する。
【００１３】
このように、ＩＳＤＢ−Ｔｍｍ方式では、番組送出Ａ、番組送出Ｂともに、送出時刻に一度に送信されるため、常時番組データを送信するＩＳＤＢ−Ｔ方式およびＩＳＤＢ−Ｓ方式と比べて、受信機における受信時間を短時間で済ませることができる。
【００１４】
特許文献１には、複数のチャネルの番組情報のＴＳパケット（ＴＳＰ）を送出する番組情報送出装置において、急な番組情報の変更（番組変更や放送時間の変更）にもリアルタイムに対応できるシステムが記載されている。
【００１５】
特許文献１に記載されたシステムは、番組情報に変更があったときに、変更後の番組情報を含むＴＳＰを生成する。そして、送出中のＴＳＰおよび送出予定のＴＳＰを、生成したＴＳＰで更新する。従って、急な番組情報の変更があっても、リアルタイムに番組情報の送出をすることができる。
【００１６】
また、特許文献２には、地上デジタルテレビジョン放送において、緊急地震速報の有無を識別するフラグと緊急地震速報とを含む緊急速報を格納する電文情報をＡＣ（Ａｕｘｉｌｉａｒｙ  Ｃｈａｎｎｅｌ）信号で伝送する装置が記載されている。
【先行技術文献】
【特許文献】
【００１７】
【特許文献１】特開２００１−１８６４８１号公報
【特許文献２】特開２００９−２７２９５４号公報
【発明の概要】
【発明が解決しようとする課題】
【００１８】
図７に示すシステムでは、番組送出Ａ受信手段６３１に対して番組送出Ａについての送出時刻の指定がされない。そのため、受信機６３０が番組送出Ａを受信するためには、番組送出Ａ受信手段６３１を起動させておき、番組送出Ａ受信手段６３１を受信待ち状態にさせておく必要がある。従って、受信機６３０の処理負荷が大きくなり、受信機６３０は必要以上に電力を消費する。受信機６３０が携帯端末の場合には、番組送出Ａの受信待ち状態が長くなることは、消費電力の点から問題となる。
【００１９】
特許文献１に記載されたシステムにおいても、図７に示すシステムと同様に、受信機を番組情報の受信待ち状態にさせておく必要があり、受信機は必要以上に電力を消費する。
【００２０】
また、ＩＳＤＢ−Ｔ及びＩＳＤＢ−Ｓ方式では、受信機は、番組データの伝送に使用されるＭＰＥＧ−２  ＴＳ（Ｔｒａｎｓｐｏｒｔ  Ｓｔｒｅａｍ）のＳＩ（Ｓｅｒｖｉｃｅ  Ｉｎｆｏｒｍａｔｉｏｎ）情報内に含まれるＥＩＴ（Ｅｖｅｎｔ  Ｉｎｆｏｒｍａｔｉｏｎ  Ｔａｂｌｅ）から番組情報を取得する。ＩＳＤＢ−Ｔｍｍ方式では、受信機は、ＭＰＥＧ−２  ＴＳのＵＬＥ（Ｕｎｉｄｉｒｅｃｔｉｏｎａｌ  Ｌｉｇｈｔｗｅｉｇｈｔ  Ｅｎｃａｐｓｕｌａｔｉｏｎ）データから番組情報を取得する。
【００２１】
そのため、これらの方式においては、ＭＰＥＧ−２  ＴＳから番組情報を取得するためのデマックス処理が受信機側で必要になる。従って、受信機は、番組情報を取得するときに、デマックス処理により電力を消費する。
【００２２】
そこで、本発明は、受信機の消費電力を低減させることができる情報配信システムおよび情報配信方法を提供することを目的とする。
【課題を解決するための手段】
【００２３】
本発明による情報配信システムは、デジタル放送におけるＡＣ信号と配信情報とを送出する送出手段を備えた送出装置と、送信装置と通信可能な受信機とを含み、受信機は、ＡＣ信号を受信するＡＣ信号受信手段と、配信情報を受信する配信情報受信手段と、配信情報受信手段の起動および停止を制御する起動手段と備え、送出手段は、ＡＣ信号に送信時刻情報を格納して送出し、ＡＣ受信手段は、受信したＡＣ信号から配信情報の送信時刻情報を取得し、起動手段は、送信時刻情報に応じて、配信情報受信手段を起動することを特徴とする。
【００２４】
本発明による情報配信方法は、デジタル放送におけるＡＣ信号と配信情報とを送出する送出装置が、ＡＣ信号に配信情報の送信時刻情報を格納して送出し、受信機が、ＡＣ信号を受信し、受信したＡＣ信号から送信時刻情報を取得し、送信時刻情報に応じて、配信情報の受信動作を開始することを特徴とする。
【発明の効果】
【００２５】
本発明によれば、情報配信システムにおいて、受信装置の消費電力を低減させることができる。
【図面の簡単な説明】
【００２６】
【図１】本発明の情報配信システムの第１の実施形態の構成を示すブロック図である。
【図２】情報配信システムの第１の実施形態の動作を示す説明図である。
【図３】情報配信システムの第２の実施形態の動作を示す説明図である。
【図４】情報配信システムの第３の実施形態の動作を示す説明図である。
【図５】情報配信システムの第４の実施形態の動作を示す説明図である。
【図６】本発明による情報配信システムの主要部を示すブロック図である。
【図７】ＩＳＤＢ−Ｔｍｍ方式によるモバイルマルチメディア放送の番組表配信システムの構成の一例を示す説明図である。
【発明を実施するための形態】
【００２７】
実施形態１．
以下、本発明の第１の実施形態を図面を参照して説明する。
【００２８】
図１は、本発明の情報配信システムの第１の実施形態の構成を示すブロック図である。
【００２９】
図１に示すように、本発明による情報配信システムは、送出装置１００と、受信機１２０とを含む。送出装置１００と受信機１２０とは、通信ネットワークなどを介して、通信可能に接続される。なお、図１には、１つの受信機１２０が例示されているが、受信機はいくつあってもよい。
【００３０】
送出装置１００は、送出部１０１と、ＡＣ送出手段１０２と、ＭＰＥＧ−２  ＴＳ送出手段１０３と、ＭＰＥＧ−２  ＴＳマックス手段１０４と、番組送出Ａ送出手段１０５と、番組送出Ｂ送出手段１０６とを含む。
【００３１】
番組送出Ａ送出手段１０５は、番組送出Ａの番組情報送出時刻に合わせて、番組送出Ａにより、直近の数番組情報と番組送出Ｂの番組情報送出時刻情報とを出力する。
【００３２】
番組送出Ｂ送出手段１０６は、番組送出Ｂの番組情報送出時刻に合わせて、番組送出Ｂにより、残り全体の番組情報を出力する。
【００３３】
ＭＰＥＧ−２  ＴＳマックス手段１０４は、番組送出Ａ送出手段１０５および番組送出Ｂ送出手段１０６が出力した情報を入力する。そして、入力した情報を含むＭＰＥＧ−２  ＴＳを、配信情報として生成し、ＭＰＥＧ−２  ＴＳ送出手段１０３に出力する。
【００３４】
ＭＰＥＧ−２  ＴＳ送出手段１０３は、入力したＭＰＥＧ−２  ＴＳを送出部１０１に出力する。
【００３５】
ＡＣ送出手段１０２は、ＡＣ信号に番組送出Ａの番組情報送出時刻情報を入れて、送出部１０１に出力する。
【００３６】
送出部１０１は、放送ＴＳを送出する。図１に示すように、送出部１０１は、入力したＭＰＥＧ−２  ＴＳであるＭＰＥＧ−２  ＴＳ１１１と、入力したＡＣ信号であるＡＣ１１２とを含む放送ＴＳ１１０を送出する。
【００３７】
受信機１２０は、例えば、携帯端末である。受信機１２０は、チューナ部１２１と、ＡＣ受信手段１２２と、ＭＰＥＧ−２  ＴＳ受信手段１２３と、ＭＰＥＧ−２  ＴＳデマックス手段１２４と、番組送出Ａ受信手段１２５と、番組送出Ｂ受信手段１２６とを含む。
【００３８】
チューナ部１２１は、放送ＴＳ１１０を受信する。チューナ部１２１は、放送ＴＳからＡＣ信号を分離する。なお、ＡＣ信号を分離して取得する際の処理負荷は、放送ＴＳから分離したＭＰＥＧ−２  ＴＳをデマックス処理して、ＥＩＴ、ＵＬＥを取得する際の処理負荷に比べて小さい。また、一般的に、受信機は、チューナ部でＡＣ信号が取得されたことを示すイベントを割り込み信号で取得し、ＡＣ信号に含まれるデータをＩ２Ｃ（Ｉｎｔｅｒ  Ｉｎｔｅｇｒａｔｅｄ  Ｃｉｒｃｕｉｔ）のコマンドで読み取る。
【００３９】
ＡＣ受信手段１２２は、放送ＴＳ１１０に含まれるＡＣ信号（ＡＣ１１２）を受信する。ＡＣ受信手段１２２は、ＡＣ信号から番組送出Ａの番組情報送出時刻情報を取得する。
【００４０】
ＭＰＥＧ−２  ＴＳ受信手段１２３は、放送ＴＳ１１０に含まれるＭＰＥＧ−２  ＴＳ１１１を受信する。ＭＰＥＧ−２  ＴＳ受信手段１２３は、受信したＭＰＥＧ−２  ＴＳをＭＰＥＧ−２  デマックス手段１２４に出力する。
【００４１】
ＭＰＥＧ−２  デマックス手段１２４は、入力したＭＰＥＧ−２  ＴＳのデマックス処理を行う。
【００４２】
番組送出Ａ受信手段１２５は、直近の数番組情報と番組送出Ｂの番組送出Ｂの番組情報送出時刻情報とを番組送出Ａにより受信する。
【００４３】
番組送出Ｂ受信手段１２６は、残り全体の番組情報を番組送出Ｂにより受信する。
【００４４】
次に、本実施形態の受信機１２０の動作を説明する。
【００４５】
受信機１２０は、ＡＣ受信手段１２２を起動し、ＡＣ信号を受信可能な状態にする。このとき、受信機１２０は、ＡＣ受信手段１２２のみを起動する。つまり、受信機１２０は、ＡＣ受信手段１２２に対する電力供給を開始する。なお、「受信機１２０が起動する」等の表現を用いるが、具体的には、受信機１２０が備える制御部（図示せず）が処理を実行することである。
【００４６】
ＡＣ受信手段１２２は、送出装置１００からＡＣ信号を受信すると、ＡＣ信号に含まれる番組送出Ａの番組情報送出時刻情報を取得する。
【００４７】
受信機１２０は、番組送出Ａの番組情報送出時刻情報が示す時刻にもとづいて、ＭＰＥＧ−２  ＴＳ受信手段１２３とＭＰＥＧ−２  ＴＳデマックス手段１２４と番組送出Ａ受信手段１２５とを起動する。つまり、受信機１２０は、ＭＰＥＧ−２  ＴＳ受信手段１２３、ＭＰＥＧ−２  ＴＳデマックス手段１２４および番組送出Ａ受信手段１２５に対する電力供給を開始する。そして、番組送出Ａ受信手段１２５は、ＭＰＥＧ−２  ＴＳ受信手段１２３およびＭＰＥＧ−２  ＴＳデマックス手段１２４を介して、番組送出Ａを受信する。
【００４８】
受信機１２０は、番組送出Ａ受信完了後、ＭＰＥＧ−２  ＴＳ受信手段１２３とＭＰＥＧ−２  ＴＳデマックス手段１２４と番組送出Ａ受信手段１２５とを停止させる。つまり、受信機１２０は、ＭＰＥＧ−２  ＴＳ受信手段１２３、ＭＰＥＧ−２  ＴＳデマックス手段１２４および番組送出Ａ受信手段１２５に対する電力供給を停止する。
【００４９】
受信機１２０は、番組送出Ａに入っている時刻情報の時刻にもとづいて、ＭＰＥＧ−２  ＴＳ受信手段１２３とＭＰＥＧ−２  ＴＳデマックス手段１２４と番組送出Ｂ受信手段１２６とを起動する。つまり、受信機１２０は、ＭＰＥＧ−２  ＴＳ受信手段１２３、ＭＰＥＧ−２  ＴＳデマックス手段１２４および番組送出Ｂ受信手段１２６に対する電力供給を開始する。そして、番組送出Ｂ受信手段１２６は、ＭＰＥＧ−２  ＴＳ受信手段１２３およびＭＰＥＧ−２  ＴＳデマックス手段１２４を介して、番組送出Ｂを受信する。
【００５０】
受信機１２０は、番組送出Ｂ受信完了後、ＭＰＥＧ−２  ＴＳ受信手段１２３とＭＰＥＧ−２  ＴＳデマックス手段１２４と番組送出Ｂ受信手段１２６とを停止させる。つまり、受信機１２０は、ＭＰＥＧ−２  ＴＳ受信手段１２３、ＭＰＥＧ−２  ＴＳデマックス手段１２４および番組送出Ｂ受信手段１２６に対する電力供給を停止する。
【００５１】
次に、放送ＴＳで通信されるデータの詳細を説明する。
【００５２】
図２は、情報配信システムの第１の実施形態の動作を示す説明図である。
【００５３】
図２に示すように、まず、ＡＣ送出手段１０２は、ＡＣ２１１に番組送出Ａの番組情報送出時刻情報を格納する。そして、ＡＣ２１１を含む放送ＴＳ２１０を送出する。このとき、ＡＣ送出手段１０２は、番組送出Ａ送出手段１０５に、番組送出Ａの番組情報送出時刻情報を出力する。
【００５４】
ＡＣ受信手段１２２は、ＡＣ２１１を受信し、番組送出Ａの番組情報送出時刻情報を取得する。このとき、ＡＣ受信手段１２２は、番組送出Ａ受信手段１２５に、番組送出Ａの番組情報送出時刻情報を出力する。
【００５５】
次に、番組送出Ａ送出手段１０５は、番組送出Ａにもとづくデータである番組送出Ａ２２１に直近の数番組情報及び番組送出Ｂの番組情報送出時刻情報を格納する。そして、番組送出Ａの番組情報送出時刻情報に合わせて、番組送出Ａ２２１を含む放送ＴＳ２２０を送出する。このとき、番組送出Ａ送出手段１０５は、番組送出Ｂ送出手段１０６に、番組送出Ｂの番組情報送出時刻情報を出力する。
【００５６】
番組送出Ａ受信手段１２５は、番組送出Ａの番組情報送出時刻情報に合わせて番組送出Ａ２２１を受信し、直近の数番組情報及び番組送出Ｂの番組情報送出時刻情報を取得する。このとき、番組送出Ａ受信手段１２５は、番組送出Ｂ受信手段１２６に、番組送出Ｂの番組情報送出時刻情報を出力する。
【００５７】
最後に、番組送出Ｂ送出手段１０６は、番組送出Ｂにもとづくデータである番組送出Ｂ２３１に残り全体の番組情報を格納する。そして、番組送出Ｂの番組情報送出時刻情報に合わせて、番組送出Ｂ２３１を含む放送ＴＳ２３０を送出する。
【００５８】
番組送出Ｂ受信手段１２６は、番組送出Ｂの番組情報送出時刻情報に合わせて番組送出Ｂ２３１を受信し、残り全体の番組情報を取得する。
【００５９】
以上に説明したように、本実施形態では、送信装置が、ＡＣ信号で番組送出Ａの番組情報送出時刻情報を送信する。ＡＣ信号は、チューナ部１２１によって放送ＴＳから最初に分離されるので、受信機は、ＡＣ信号で番組送出Ａの番組情報送出時刻情報を受信するまで、チューナ部１２１の他にＡＣ受信手段１２２のみを起動させおくだけでよい。つまり、ＡＣ信号で番組送出Ａの番組情報送出時刻情報を受信するまで、チューナ部１２１およびＡＣ受信手段１２２以外のＣＰＵ等の処理部をスリープ状態などにさせておくことができるので、受信機の消費電力を低減することができる。
【００６０】
また、受信機は、番組送出Ａの番組情報送出時刻を認識することができるので、番組送出Ａの受信動作、つまり、番組情報の受信動作を適切なタイミングで開始することができる。従って、受信機は、番組情報の受信待ち中にデマックス処理などを行う必要がない。
【００６１】
実施形態２．
以下、本発明の第２の実施形態を図面を参照して説明する。
【００６２】
送出装置１００および受信機１２０の構成は、第１の実施形態と同様である。
【００６３】
ただし、ＡＣ送出手段１０２は、ＡＣ信号に番組送出Ａの地震情報送出時刻情報を格納して送出する。
【００６４】
番組送出Ａ送出手段１０５は、ＡＣ信号の番組送出Ａの地震情報送出時刻情報に合わせて、最初の地震情報と番組送出Ｂの地震・津波情報送出時刻情報を出力する。
【００６５】
番組送出Ｂ送出手段１０６は、番組送出Ｂの地震・津波情報送出時刻情報に合わせて、番組送出Ｂによる地震・津波情報を出力する。
【００６６】
次に、放送ＴＳで通信されるデータの詳細を説明する。
【００６７】
図３は、情報配信システムの第２の実施形態の動作を示す説明図である。
【００６８】
図３に示すように、まず、ＡＣ送出手段１０２は、ＡＣ３１１に番組送出Ａの地震情報送出時刻情報を格納する。そして、ＡＣ３１１を含む放送ＴＳ３１０を送出する。
【００６９】
ＡＣ受信手段１２２は、ＡＣ３１１を受信し、番組送出Ａの地震情報送出時刻情報を取得する。
【００７０】
次に、番組送出Ａ送出手段１０５は、番組送出Ａにもとづくデータである番組送出Ａ３２１に最初の地震情報及び番組送出Ｂの地震・津波情報送出時刻情報を格納する。そして、番組送出Ａの地震情報送出時刻情報に合わせて、番組送出Ａ３２１を含む放送ＴＳ３２０を送出する。
【００７１】
番組送出Ａ受信手段１２５は、番組送出Ａの地震情報送出時刻情報に合わせて、番組送出Ａ３２１を受信し、最初の地震情報及び番組送出Ｂの地震・津波情報送出時刻情報を取得する。
【００７２】
最後に、番組送出Ｂ送出手段１０６は、番組送出Ｂにもとづくデータである番組送出Ｂ３３１に地震・津波情報を格納する。そして、番組送出Ｂの地震・津波情報送出時刻情報に合わせて、番組送出Ｂ３３１を含む放送ＴＳ３３０を送出する。
【００７３】
番組送出Ｂ受信手段１２６は、番組送出Ｂの地震・津波情報送出時刻情報に合わせて、番組送出Ｂ３３１を受信し、続く地震情報や地震による津波情報等を地震・津波情報から取得する。
【００７４】
なお、その他の動作については、第１の実施形態と同様であるため、説明を省略する。
【００７５】
以上に説明したように、本実施形態では、送信装置が、ＡＣ信号で地震情報送出時刻情報を送信する。従って、最初の地震情報や、続く地震情報や地震による津波情報等を配信する場合であっても、第１の実施形態と同様の効果を得ることができる。つまり、受信機の電力を必要以上に消費させることなく、地震情報や津波情報の配信を効率よく行うことができる。
【００７６】
実施形態３．
以下、本発明の第３の実施形態を図面を参照して説明する。
【００７７】
図４は、情報配信システムの第３の実施形態の動作を示す説明図である。
【００７８】
本実施形態の情報配信システムは、送出装置１００と、受信機１３０とを含む。
【００７９】
送出装置１００の構成は、第１の実施形態と同様である。ただし、ＡＣ送出手段１０２は、ＡＣ信号に番組送出Ａの番組情報送出時刻情報の他に、コンテンツタイプ情報を格納する。
【００８０】
受信機１３０は、第１の実施形態の受信機１２０と同様である。ただし、受信機１３０は、制御プログラム４４５を含む。
【００８１】
次に、本実施形態の動作を説明する。
【００８２】
図４に示すように、まず、ＡＣ送出手段１０２は、ＡＣ４１１に番組送出Ａの番組情報送出時刻情報、及び番組のコンテンツタイプを示すコンテンツタイプ情報を格納する。そして、ＡＣ４１１を含む放送ＴＳ４１０を送出する。
【００８３】
ＡＣ受信手段１２２は、ＡＣ４１１を受信し、番組送出Ａの番組情報送出時刻情報及びコンテンツタイプ情報を取得する。
【００８４】
制御プログラム４４５は、受信機１３０を利用するユーザの情報を含むユーザ情報４４４と、コンテンツタイプ情報とをもとに、コンテンツタイプ情報が示すコンテンツタイプが、ユーザが受信対象とするコンテンツ、つまり、対象コンテンツであるか否かを判定する。なお、ユーザ情報４４４は、受信機１３０が備える記憶手段（図示せず）に予め記憶される。制御プログラム４４５は、受信機１３０が備えるＣＰＵによって実現される。
【００８５】
制御プログラム４４５が対象コンテンツであると判断した場合には、受信機１３０は、番組送出Ａ受信手段１２５を起動させる。そして、番組送出Ａ受信手段１２５は、番組送出Ａの番組情報送出時刻情報に合わせて、番組送出Ａにもとづくデータである番組送出Ａ４２１を受信し、直近の数番組情報及び番組送出Ｂの番組情報送出時刻情報を取得する。
【００８６】
コンテンツタイプ情報には、例えば、「スポーツ」などが設定される。その場合、「スポーツ」が対象コンテンツであるときに、受信機１３０は、番組送出Ａの番組情報送出時刻情報に合わせて、番組送出Ａ受信手段１２５などを起動させる。
【００８７】
なお、その他の動作については、第１の実施形態と同様であるため、説明を省略する。
【００８８】
以上に説明したように、本実施形態では、送信装置が、ＡＣ信号にコンテンツタイプ情報を付加して送信する。そのため、第１の実施形態と同様の効果を得ることができるとともに、番組情報を一般の人向けやある特定の人向けに区別して配信することができる。従って、国や地方自治体などが、特定の人向けに番組情報を配信したりすることができる。
【００８９】
また、受信機は、コンテンツタイプ情報が対象コンテンツであると判断した場合に、番組情報の受信動作を開始するので、受信機の消費電力をさらに低減させることができる。
【００９０】
実施形態４．
以下、本発明の第４の実施形態を図面を参照して説明する。
【００９１】
図５は、情報配信システムの第４の実施形態の動作を示す説明図である。
【００９２】
送出装置１００および受信機１３０の構成は、第３の実施形態と同様である。
【００９３】
ただし、送出装置１００のＡＣ送出手段１０２は、ＡＣ信号に番組送出Ａの番組情報送出時刻情報の他に、対象端末情報を格納する。
【００９４】
次に、本実施形態の動作を説明する。
【００９５】
図５に示すように、ＡＣ送出手段１０２は、ＡＣ５１１に番組送出Ａの番組情報送出時刻情報及び対象端末情報を格納する。そして、ＡＣ５１１を含む放送ＴＳ５１０を送出する。対象端末情報は、番組情報の配信対象とする端末を指定するための情報である。対象端末情報は、例えば、対象とする端末の個体を指定する情報や、対象とする端末のクラスを指定する情報である。クラスは、配信対象のカテゴリである。例えば、配信対象が市町村ごとに区分されている場合には、クラスとして「Ｘ市情報配信端末」などを指定する。
【００９６】
ＡＣ受信手段１２２は、ＡＣ５１１を受信し、番組送出Ａの番組情報送出時刻情報及び対象端末情報を取得する。
【００９７】
制御プログラム４４５は、端末情報５４４と対象端末情報とをもとに、受信機１３０が番組情報の受信対象の端末、つまり、対象端末であるか否かを判定する。なお、端末情報５４４は、受信機１３０が備える記憶手段（図示せず）に予め記憶される。
【００９８】
制御プログラム４４５が対象端末であると判断した場合には、受信機１３０は、番組送出Ａ受信手段１２５を起動させる。そして、番組送出Ａ受信手段１２５は、番組送出Ａの番組情報送出時刻情報に合わせて、番組送出Ａにもとづくデータである番組送出Ａ５２１を受信し、直近の数番組情報及び番組送出Ｂの番組情報送出時刻情報を取得する。
【００９９】
なお、その他の動作については、第３の実施形態と同様であるため、説明を省略する。
【０１００】
以上に説明したように、本実施形態では、送信装置が、ＡＣ信号に対象端末情報を付加して送信する。そのため、特定の端末に対して番組情報などを配信することができるので、第３の実施形態と同様の効果を得ることができる。
【０１０１】
図６は、本発明による情報配信システムの主要部を示すブロック図である。図６に示すように、情報配信システムは、デジタル放送におけるＡＣ信号（図１に示すＡＣ１１２に相当。）と配信情報（番組送出Ａおよび番組送出Ｂにもとづくデータに相当。）とを送出する送出手段１１（図１に示す送出装置１００におけるＡＣ送出手段１０２、番組送出Ａ送出手段１０５および番組送出Ｂ送出手段１０６に相当。）を備えた送出装置１０（図１に示す送出装置１００に相当。）と、送信装置１０と通信可能な受信機２０（図１に示す受信機１２０に相当。）とを含み、受信機２０は、ＡＣ信号を受信するＡＣ信号受信手段２１（図１に示す受信機１２０におけるＡＣ受信手段１２２に相当。）と、配信情報を受信する配信情報受信手段２２（図１に示す受信機１２０における番組送出Ａ受信手段１２５および番組送出Ｂ受信手段１２６に相当。）と、配信情報受信手段２２の起動および停止を制御する起動手段２３（図１に示す受信機１２０における制御部に相当。）と備え、送出手段１１は、ＡＣ信号に配信情報の送信時刻情報を格納して送出し、ＡＣ受信手段２１は、受信したＡＣ信号から送信時刻情報を取得し、起動手段２３は、送信時刻情報に応じて、配信情報受信手段２２を起動する。
【０１０２】
上記の実施形態には、以下のような情報配信システムも開示されている。
【０１０３】
（１）起動手段は、配信情報受信手段の受信動作が完了したら、配信情報受信手段を停止する情報配信システム。
【０１０４】
（２）受信機２０は、判定手段（図４に示す受信機１３０における制御プログラム４４５に相当。）を備え、送出手段１１は、コンテンツタイプ情報を含むＡＣ信号を送出し、ＡＣ受信手段２１は、受信したＡＣ信号からコンテンツタイプ情報を取得し、判定手段は、ユーザ情報を記憶し、コンテンツタイプ情報とユーザ情報（図４に示すユーザ情報４４４に相当。）とをもとに、配信情報を受信するか否かを判定し、起動手段２３は、判定手段の判定結果にもとづいて、配信情報受信手段２２を起動する情報配信システム。
【０１０５】
（３）送出手段１１は、対象端末情報を含むＡＣ信号を送出し、ＡＣ受信手段２１は、受信したＡＣ信号から対象端末情報を取得し、判定手段は、端末情報（図５に示す端末情報４４５に相当。）を記憶し、対象端末情報と端末情報とをもとに、配信情報を受信するか否かを判定する情報配信システム。
【０１０６】
（４）配信情報が、番組情報を含む情報配信システム。
【０１０７】
（５）配信情報が、地震情報および津波情報を含む情報配信システム。
【符号の説明】
【０１０８】
１０、１００、６００  送出装置
１１  送出手段
２０、１２０、１３０、６３０  受信機
２１  ＡＣ信号受信手段
２２  配信情報受信手段
２３  起動手段
１０１  送出部
１０２  ＡＣ送出手段
１０３  ＭＰＥＧ−２  ＴＳ送出手段
１０４  ＭＰＥＧ−２  ＴＳマックス手段
１０５、６０１  番組送出Ａ送出手段
１０６、６０２  番組送出Ｂ送出手段
１１０、２１０、２２０、２３０、３１０、３２０、３３０、４１０、４２０、４３０、５１０、５２０、５３０、６１０、６２０  放送ＴＳ
１１１  ＭＰＥＧ−２  ＴＳ
１１２、２１１、３１１、４１１、５１１、５２１  ＡＣ
１２１  チューナ部
１２２  ＡＣ受信手段
１２３  ＭＰＥＧ−２  ＴＳ受信手段
１２４  ＭＰＥＧ−２  ＴＳデマックス手段
１２５、６３１  番組送出Ａ受信手段
１２６、６３２  番組送出Ｂ受信手段
２２１、３２１、４２１、５２１、６１１  番組送出Ａ
２３１、３３１、６２１  番組送出Ｂ
【図１】
2013115645.tif 000003
【図２】
2013115645.tif 000004
【図３】
2013115645.tif 000005
【図４】
2013115645.tif 000006
【図５】
2013115645.tif 000007
【図６】
2013115645.tif 000008
【図７】
2013115645.tif 000009